(57)【特許請求の範囲】
【請求項１】
遊技球の入球を契機に図柄変動ゲームの始動条件が成立可能な始動入球口と、
遊技球の入球を契機に遊技球の払出条件が成立可能な普通入球口と、
前記始動入球口へ向かう流下経路を流下した遊技球のうち、前記始動入球口に入球しなかった遊技球を前記普通入球口へ誘導する誘導通路と、を有し、
前記誘導通路は、誘導面を有するとともに、調整困難な誘導部材を構成要素としており、
複数の入球口を有するとともに、前記普通入球口を除く各入球口へ遊技球を向かわせる流下経路が各入球口に向かって画成され、前記始動入球口に向かう流下経路は特定流下経路であり、
前記流下経路の上流には、遊技球を各流下経路に振り分ける振分装置が配設されており、
前記振分装置は、規定球数に一定球数の割合で、遊技球を前記特定流下経路に周期的に振り分ける遊技機。
【発明の詳細な説明】
【技術分野】
【０００１】
本発明は、遊技機に関する。
【背景技術】
【０００２】
従来から、遊技機の一種であるパチンコ遊技機では、遊技者が発射ハンドルを操作することで遊技球が遊技盤に発射され、発射された遊技球が特定の入球口へ入球することを契機に予め定めた個数の遊技球が賞球として払い出されていた。
【０００３】
このようなパチンコ遊技機では、大当り遊技中を除く遊技状態における出球率を「ベース値」という所定の演算結果に基づく数値で表すことがある。例えば、１００球の遊技球が発射され、２０球の賞球払出しが行われた場合、ベース値は２０％となる。
【０００４】
ところで、ベース値は、入球口への入球率に依存するため、入球口に遊技球が入球し難い状況では、ベース値は低くなってしまう。そこで、特許文献１のパチンコ遊技機では、大入賞口の下方であって、かつアウト口の上方にリプレイ口を設け、リプレイ口に遊技球が入球したことを契機に１球の遊技球を払い戻していた。
【先行技術文献】
【特許文献】
【０００５】
【特許文献１】特開２００１−０６２０７１号公報
【発明の概要】
【発明が解決しようとする課題】
【０００６】
大入賞口に入球しなかった遊技球は、遊技釘に当接して流下方向が変化し得る。したがって、リプレイ口を設けたことで遊技球の払い出しに期待を持つことができたとしても、遊技釘への当接により遊技球の流下方向が安定しないので、リプレイ口への遊技球の入球率が安定しない。このため、依然としてベース値の安定には繋がらなかった。
【０００７】
この発明は、このような従来の技術に存在する問題点に着目してなされたものである。その目的は、安定したベース値を確保することができる遊技機を提供することにある。
【課題を解決するための手段】
【００１０】
上記問題点を解決する遊技機は、遊技球の入球を契機に図柄変動ゲームの始動条件が成立可能な始動入球口と、遊技球の入球を契機に遊技球の払出条件が成立可能な普通入球口と、前記始動入球口へ向かう流下経路を流下した遊技球のうち、前記始動入球口に入球しなかった遊技球を前記普通入球口へ誘導する誘導通路と、を有し、前記誘導通路は、誘導面を有するとともに、調整困難な誘導部材を構成要素としており、複数の入球口を有するとともに、前記普通入球口を除く各入球口へ遊技球を向かわせる流下経路が各入球口に向かって画成され、前記始動入球口に向かう流下経路は特定流下経路であり、前記流下経路の上流には、遊技球を各流下経路に振り分ける振分装置が配設されており、前記振分装置は、規定球数に一定球数の割合で、遊技球を前記特定流下経路に周期的に振り分けることを要旨とする。
【発明の効果】
【００１１】
本発明によれば、安定したベース値を確保することができる。
【図面の簡単な説明】
【００１２】
【図１】パチンコ遊技機の機表側を示す正面図。
【図２】遊技盤を示す部分斜視図。
【図３】普通入球部の近傍を示す拡大図。
【図４】（ａ）〜（ｄ）は、遊技球の振分態様を示す模式図。
【図５】パチンコ遊技機の電気的構成を示すブロック図。
【図６】（ａ）〜（ｃ）は、振分装置の回動態様を示す模式図。
【図７】（ａ）〜（ｃ）は、第２始動入球口に入球しなかった遊技球が普通入球口に入球するまでの流れを示す模式図。
【発明を実施するための形態】
【００１３】
以下、遊技機の一実施形態を図面に従って説明する。なお、以下の説明における「上下方向、左右方向、前後方向」は、いずれも遊技機を正面から視認した場合の方向を指す。
図１に示すように、遊技機としてのパチンコ遊技機１０の機体の外郭をなす外枠Ｙ１の開口前面側には、各種の遊技用構成部材をセットする縦長方形の中枠Ｙ２が開放及び着脱自在に組み付けられているとともに、中枠Ｙ２の前面側には前枠Ｙ３が開閉及び着脱自在に組み付けられている。前枠Ｙ３は正面視ほぼ円形状の窓口Ｙ４を有し、前枠Ｙ３の裏側には機内部に配置された遊技盤ＹＢを保護し、かつ窓口Ｙ４を覆う大きさのガラスを支持する図示しないガラス支持枠が着脱及び傾動開放可能に組み付けられている。これにより、遊技者は、前枠Ｙ３を介して遊技盤ＹＢの遊技領域ＹＢａを、パチンコ遊技機１０の正面から視認することができる。遊技領域ＹＢａは、遊技球が流下可能な領域である。
【００１４】
パチンコ遊技機１０の下方には、発射ハンドルＨＤが配設されている。遊技領域ＹＢａに発射される遊技球は、発射ハンドルＨＤの回動操作量に応じて発射の強弱が設定される。
【００１５】
次に、遊技盤ＹＢの構成を詳しく説明する。
図１及び図２に示すように、遊技盤ＹＢの盤面には、外レール部材Ｒ１、内レール部材Ｒ２、及びコーナー飾り部材Ｒ５が配設されており、これらの各部材によって画成された内側領域に、正面視略円形状の遊技領域ＹＢａが画成されている。また、外レール部材Ｒ１と内レール部材Ｒ２との間には、発射ハンドルＨＤの操作によって発射された遊技球が案内される打出し通路Ｒ３が画成されている。発射された遊技球は、打出し通路Ｒ３を案内されるとともに、内レール部材Ｒ２の先端に位置する逆戻り防止弁Ｒ４を通過することによって、遊技領域ＹＢａに到達する。
【００１６】
遊技領域ＹＢａには、各種の装飾を施したセンター役物Ｙ５が装着されているとともに、センター役物Ｙ５に開口されたセット口Ｙ５ａには例えば液晶式の画像表示部を有する演出表示装置１３が装着されている。演出表示装置１３の画像表示部には、各種画像が表示され、該画像を用いて様々な演出が行われる。
【００１７】
また、遊技領域ＹＢａのうち、センター役物Ｙ５と外レール部材Ｒ１の間に位置する遊技領域ＹＢａは通路Ｔであって、通路Ｔの幅は、遊技球の直径よりもわずかに長く、左右方向に遊技球が通過可能である。また、内レール部材Ｒ２の先端に逆戻り防止弁Ｒ４が設けられていることで、打出し通路Ｒ３と通路Ｔは内レール部材Ｒ２によって直接繋がっていないが、通路Ｔは、打出し通路Ｒ３の延長線Ｅ１上に位置する。これにより、発射ハンドルＨＤの回動操作量が小さい場合、発射強度が減少するので、遊技球は通路Ｔに到達することなく、遊技領域ＹＢａの左方を流下し易い。一方、発射ハンドルＨＤの回動操作量が大きい場合、発射強度が増加するので、遊技球は通路Ｔに到達し、通路Ｔを流下して遊技領域ＹＢａの右方を流下し易い。
【００１８】
また、図１及び図２に示すように、センター役物Ｙ５の下方には、常時、遊技球が入球可能となるように開口された第１始動入球口１４ａを有する第１始動入球部１４が位置している。第１始動入球部１４は、第１始動入球口１４ａへ遊技球が入球したことを検知可能な第１始動センサＳＥ１（図５に示す）を有している。第１始動センサＳＥ１が第１始動入球口１４ａへ入球した遊技球を検知することを契機に、第１特別図柄を変動させて行う第１特別図柄変動ゲームの始動条件を成立させることができる。また、第１始動センサＳＥ１が第１始動入球口１４ａへ入球した遊技球を検知することを契機に、予め定めた個数（実施形態では３球）の賞球としての遊技球の払出条件を成立させることができる。
【００１９】
また、図２に示すように、センター役物Ｙ５の右方には、遊技球が入球可能な第２始動入球口１５ａを有する第２始動入球部１５が位置している。第２始動入球部１５は、第２始動入球口１５ａへ遊技球が入球したことを検知可能な第２始動センサＳＥ２（図５に示す）を有している。第２始動センサＳＥ２が第２始動入球口１５ａへ入球した遊技球を検知することを契機に、第２特別図柄を変動させて行う第２特別図柄変動ゲームの始動条件を成立させることができる。また、第２始動センサＳＥ２が第２始動入球口１５ａへ入球した遊技球を検知することを契機に、予め定めた個数（実施形態では３球）の賞球としての遊技球の払出条件を成立させることができる。また、第２始動入球部１５は、アクチュエータＡＣ１（図５に示す）の作動により開閉動作を行う開閉部材としての開閉羽根（普通電動役物）１５ｂを有している。開閉羽根１５ｂが開動作すると、第２始動入球口１５ａは遊技球が入球し易い開状態（第１状態）を取る。一方、開閉羽根１５ｂが閉動作すると、第２始動入球口１５ａは遊技球が入球し難い閉状態（第２状態）を取る。実施形態では、開閉羽根１５ｂが閉動作している場合、第２始動入球口１５ａに遊技球が入球不能である。
【００２０】
第２始動入球部１５の下方には、常時、遊技球が入球可能となるように開口された普通入球口１６ａを有する普通入球部１６が位置している。具体的には、第２始動入球部１５と普通入球部１６は、遊技球が流下する同一の流下経路上に位置しており、同一の流下経路において、第２始動入球部１５は、普通入球部１６よりも上流に位置する一方で、普通入球部１６は、第２始動入球部１５よりも下流に位置する。同様に、第２始動入球口１５ａは、普通入球口１６ａよりも上流に位置する一方で、普通入球口１６ａは第２始動入球口１５ａよりも下流に位置する。
【００２１】
普通入球部１６は、普通入球口１６ａへ遊技球が入球したことを検知可能な普通センサＳＥ３（図５に示す）を有している。普通センサＳＥ３が普通入球口１６ａへ入球した遊技球を検知することを契機に、予め定めた個数（実施形態では３球）の賞球としての遊技球の払出し条件を成立させることができるが、各特別図柄変動ゲームの始動条件を成立させることはできない。また、普通入球口１６ａへの入球によって得られる賞球数は、第２始動入球口１５ａへの入球によって得られる賞球数と同数である。
【００２２】
図１に示すように、センター役物Ｙ５の左下方には、第１特別図柄を表示可能な第１特別図柄表示装置１１が位置している。また、第１特別図柄表示装置１１の右方には、第２特別図柄を表示可能な第２特別図柄表示装置１２が位置している。特別図柄表示装置１１，１２では、特別図柄変動ゲームが行われ、当該特別図柄変動ゲームにおいて当り抽選の抽選結果に応じた特別図柄が導出される。第１特別図柄における当り抽選と第２特別図柄における当り抽選では、当り抽選に当選する確率が同一確率である。その一方で、第１特別図柄と第２特別図柄では、当り抽選に当選した場合に決定される当りの種類や同一種類の当りの決定割合を異ならせている。これにより、第１特別図柄と第２特別図柄では、当り抽選に当選した際の有利度（例えば、賞球の多少、後述する入球率向上状態の付与期間など）を異ならせている。また、始動条件が成立した場合には、当り抽選の抽選結果を導出するために特別図柄表示装置１１，１２で特別図柄変動ゲームが行われるとともに、当該特別図柄変動ゲームで導出される特別図柄に応じた結果を導出する飾り図柄変動ゲームが、演出表示装置１３においても行われる。
【００２３】
また、図１〜図３に示すように、センター役物Ｙ５の右方であって、第２始動入球部１５よりも下方には、遊技球が入球可能な第１大入賞口（入球口）１８ａを有する第１大入賞部１８が位置している。第１大入賞部１８は、アクチュエータＡＣ２（図５に示す）の作動により開閉動作を行う第１大入賞扉１８ｂを有している。第１大入賞扉１８ｂが開動作すると、第１大入賞口１８ａは遊技球が入球可能な開状態を取る。一方、第１大入賞扉１８ｂが閉動作すると、第１大入賞口１８ａは遊技球が入球不能な閉状態を取る。
【００２４】
また、図３に示すように、第１大入賞部１８の左方には飾り部材１８ｃが位置する一方で、第１大入賞部１８の右方には後述する第１誘導部材１７ａが位置している。そして、飾り部材１８ｃと第１誘導部材１７ａには、飾り部材１８ｃ、第１大入賞部１８、及び第１誘導部材１７ａを前面から覆うように、矩形板状の飾り板１８ｄが取り付けられている。飾り板１８ｄと第１大入賞扉１８ｂの間には、空間Ｓが形成されている。第１大入賞扉１８ｂが開動作すると、空間Ｓは第１大入賞扉１８ｂによって覆われる。このため、遊技領域ＹＢａを流下した遊技球は、第１大入賞扉１８ｂによって受け止められ、第１大入賞口１８ａに誘導される。つまり、第１大入賞扉１８ｂが開動作している状態では、遊技領域ＹＢａを流下した遊技球は、第１大入賞部１８よりも下方に流下しない。一方、第１大入賞扉１８ｂが閉動作すると、空間Ｓは開状態となる。このため、遊技領域ＹＢａを流下した遊技球は、空間Ｓを通過し、第１大入賞部１８よりも下方に流下し得る。
【００２５】
また、第１大入賞部１８は、第１大入賞口１８ａへ遊技球が入球したことを検知可能なカウントセンサＣＳ１（図５に示す）を有している。カウントセンサＣＳ１が第１大入賞口１８ａへ入球した遊技球を検知することを契機に、予め定めた個数（実施形態では１５球）の賞球としての遊技球の払出条件を成立させることができる。第１大入賞扉１８ｂは、第１特別図柄変動ゲームで当り抽選に当選した場合に開放される。
【００２６】
図２に示すように、第１大入賞部１８の下方には、遊技球が入球可能な第２大入賞口（入球口）１９ａを有する第２大入賞部１９が位置している。第２大入賞部１９は、アクチュエータＡＣ３（図５に示す）の作動により開閉動作を行う第２大入賞扉１９ｂを有している。第２大入賞扉１９ｂが開動作すると、第２大入賞口１９ａは遊技球が入球可能な開状態を取る。一方、第２大入賞扉１９ｂが閉動作すると、第２大入賞口１９ａは遊技球が入球不能な閉状態を取る。また、第２大入賞部１９は、第２大入賞口１９ａへ遊技球が入球したことを検知可能なカウントセンサＣＳ２（図５に示す）を有している。
【００２７】
カウントセンサＣＳ２が第２大入賞口１９ａへ入球した遊技球を検知することを契機に、予め定めた個数（実施形態では１５球）の賞球としての遊技球の払出条件を成立させることができる。第２大入賞扉１９ｂは、第２特別図柄変動ゲームで当り抽選に当選した場合に開放される。第１大入賞口１８ａ及び第２大入賞口１９ａへの入球によって得られる賞球数は、第１始動入球部１４の第１始動入球口１４ａ、第２始動入球部１５の第２始動入球口１５ａ、及び普通入球部１６の普通入球口１６ａへの入球によって得られる賞球数よりも多い。また、第１大入賞扉１８ｂと第２大入賞扉１９ｂは同時に開動作しない。よって、第２大入賞扉１９ｂの開動作中、第１大入賞扉１８ｂは閉動作しているため、遊技領域ＹＢａを流下した遊技球は、空間Ｓを通過して第２大入賞口１９ａに到達し得る。
【００２８】
図２及び図３に示すように、第２始動入球部１５と普通入球部１６が位置する流下経路において、普通入球部１６よりも上流であって、かつ第２始動入球部１５よりも下流には、誘導部材としての第１誘導部材１７ａ、及び誘導部材としての第２誘導部材１７ｂが位置している。同様に、第１誘導部材１７ａ及び第２誘導部材１７ｂは、普通入球口１６ａよりも上流に位置し、第２始動入球口１５ａよりも下流に位置している。第１誘導部材１７ａ及び第２誘導部材１７ｂは、樹脂製である。
【００２９】
以下、第１誘導部材１７ａ及び第２誘導部材１７ｂの構成について詳しく説明する。
図２及び図３に示すように、誘導部材１７ａ，１７ｂは、ブロック状であり、正面視台形状をなす。誘導部材１７ａ，１７ｂでは、台形状の底面Ｓ０が遊技盤ＹＢに取り付けられている。詳しくは、底面Ｓ０が面接触した状態で、その全面が遊技盤ＹＢに固定されている。そして、底面Ｓ０の側周縁から第１側面Ｓ１、第２側面Ｓ２、第３側面Ｓ３、及び第４側面Ｓ４が立設されている。第１側面Ｓ１と第３側面Ｓ３は、遊技盤ＹＢの上下方向に位置し、互いに対向している。第１側面Ｓ１は、パチンコ遊技機１０における上下方向と平行である一方、第３側面Ｓ３は、斜面をなしている。一方、第２側面Ｓ２と第４側面Ｓ４は、遊技盤ＹＢの左右方向に位置し、互いに対向している。第２側面Ｓ２は、パチンコ遊技機１０における左右方向と平行である一方、第４側面Ｓ４は斜面をなしている。
【００３０】
誘導部材１７ａ，１７ｂは、第４側面Ｓ４が互いに内側を向き、かつ下り勾配をなして対向するように配設されている。この状態において、誘導部材１７ａ，１７ｂの第４側面Ｓ４の最下流端と連なる第１側面Ｓ１は、互いに内側を向いて対向している。また、互いに対向する第１側面Ｓ１は、平行である。さらに、第１誘導部材１７ａの第２側面Ｓ２と第２誘導部材１７ｂの第２側面Ｓ２は、同一直線状に位置している。また、第１誘導部材１７ａにおいて、底面Ｓ０と対向する平面Ｓ５は、飾り板１８ｄに取り付けられている。一方、第２誘導部材１７ｂの第３側面Ｓ３は、コーナー飾り部材Ｒ５の側面Ｒ５ａ近傍に位置しており、第３側面Ｓ３と側面Ｒ５ａの間は、遊技球の直径よりも短く、遊技球が通過不可能である。
【００３１】
また、対向する第１側面Ｓ１の間に位置する空間は、普通入球口１６ａに遊技球を誘導する誘導部１７ｃである。つまり、第４側面Ｓ４における下り勾配の最下流端に誘導部１７ｃが連なっている。誘導部１７ｃは、普通入球口１６ａの直上に位置している。誘導部１７ｃの開口幅、すなわち対向する第１側面Ｓ１の間の距離は、遊技球の直径よりもわずかに長く、下方向に遊技球が通過可能である。
【００３２】
対向する第１側面Ｓ１の上辺同士を結ぶ仮想線Ｅ２と同じ高さにある位置を誘導部１７ｃの上端Ｐ１とする一方、対向する第１側面Ｓ１の下辺同士を結ぶ仮想線Ｅ３と同じ高さにある位置を誘導部１７ｃの下端Ｐ２とする。誘導部１７ｃの下端Ｐ２から普通入球口１６ａの上端１６ｂまでの上下方向における距離Ｘは、遊技球の直径よりもわずかに長く、左右方向に遊技球が通過可能である。これにより、誘導部１７ｃを通過した遊技球は、普通入球口１６ａに入球し得るが、入球しなかった場合には、距離Ｘだけ離れた空間を遊技盤ＹＢの左方向又は右方向に転動して、普通入球部１６の下方に流下する。
【００３３】
さらに、閉状態を取る（図３において二点鎖線で示す）開閉羽根１５ｂの先端から、遊技球が通過可能な長さ分、左方に離間した位置には、円弧状の規制部材１７ｄが、遊技盤ＹＢの上下方向にわたって配設されている。詳しくは、規制部材１７ｄの先端は、閉状態を取る開閉羽根１５ｂの先端よりも上流に位置している。また、規制部材１７ｄの下端は、第１誘導部材１７ａの第４側面Ｓ４の最上流端よりも上流に位置している。そして、規制部材１７ｄと第１誘導部材１７ａの間には、遊技球の直径よりも短い間隔で複数の遊技釘Ｋが植設されている。遊技釘Ｋは金属製（例えば、ステンレスやアルミニウム）である。
【００３４】
図１の説明に戻り、センター役物Ｙ５の左下方には、第１保留表示装置２２、第２保留表示装置２３、及び普通図柄表示装置２４が位置している。第１保留表示装置２２は、実行が保留されている第１特別図柄変動ゲームの数を表示する。第２保留表示装置２３は、実行が保留されている第２特別図柄変動ゲームの数を表示する。普通図柄表示装置２４は普通図柄を用いた普通図柄変動ゲームを行い、当該普通図柄変動ゲームにおいて普通図柄の当り抽選の抽選結果に応じた普通図柄が導出される。
【００３５】
図１及び図２に示すように、第２始動入球部１５の上方には、作動ゲート２５が位置している。作動ゲート２５は、通過した遊技球を検知するゲートセンサＳＥ４（図５に示す）を有している。ゲートセンサＳＥ４が作動ゲート２５を通過した遊技球を検知することにより、普通図柄変動ゲームの始動条件を成立させることができる。
【００３６】
図１〜図３に示すように、センター役物Ｙ５の周辺、第１始動入球口１４ａの上方、第２始動入球口１５ａの上方、第１大入賞口１８ａの上方、第２大入賞口１９ａの上方、及び作動ゲート２５の上方には、遊技釘Ｋが植設されている。遊技釘Ｋに遊技球が当接すると、遊技球の流下方向が変化し得る。一方、通路Ｔ、普通入球口１６ａの周辺、及び誘導部１７ｃと普通入球口１６ａの間には、遊技釘Ｋが植設されていない。
【００３７】
図１に示すように、センター役物Ｙ５の左下方には、普通入球口２６ａを有する普通入球部２６、普通入球口２７ａを有する普通入球部２７、普通入球口２８ａを有する普通入球部２８が位置している。普通入球部２６〜２８は、普通入球口２６ａ〜２８ａへ遊技球が入球したことを検知可能な普通センサ（図示せず）を有している。普通センサが普通入球口２６ａ〜２８ａに入球した遊技球を検知することを契機に、予め定めた個数の賞球としての遊技球の払出し条件を成立させることができる。なお、普通入球口２６ａ〜２８ａへの入球を契機に払い出される賞球は、普通入球口１６ａへの入球を契機に払い出される賞球数と同数であってもよいし、同数より少なくても、又は同数より多くてもよい。また、普通入球口２６ａ〜２８ａの上方には、遊技釘Ｋが植設されている。
【００３８】
また、図１に示すように、遊技球の流下経路における最下流位置には、各種入球部１４〜１６，２６〜２８、各種入賞部１８，１９に入球しなかった遊技球を機外へ排出する排出口としてアウト口２９が位置している。また、第２始動入球部１５、普通入球部１６とアウト口２９が位置する流下経路において、アウト口２９よりも上流には、遊技球をアウト口２９に誘導する誘導部材Ａが位置している。
【００３９】
誘導部材Ａは、ブロック状であり、正面視略直角三角形状をなす。誘導部材Ａでは、直角三角形状の底面Ａ０が遊技盤ＹＢに取り付けられている。そして、底面Ａ０の側周縁から第１側面Ａ１、第２側面Ａ２、及び第３側面Ａ３が立設されている。第１側面Ａ１は、パチンコ遊技機１０における上下方向と平行である一方、第２側面Ａ２は斜面をなしている。また、第３側面Ａ３は、パチンコ遊技機１０における左右方向と平行である。誘導部材Ａの第２側面Ａ２は、コーナー飾り部材Ｒ５の側面Ｒ５ａ近傍に位置しており、第２側面Ａ２と側面Ｒ５ａの間は、遊技球の直径よりも短く、遊技球が通過不可能である。これにより、第２始動入球口１５ａ、普通入球口１６ａ、第１大入賞口１８ａ、又は第２大入賞口１９ａに入球しなかった遊技球が、第３側面Ａ３を転動してアウト口２９に到達し得る。
【００４０】
図２及び図６に示すように、センター役物Ｙ５の右方には、常時、遊技球が入球可能な入球口４１を有する振分装置４０が位置している。入球口４１には、センター役物Ｙ５の上方に位置する通路Ｔを通過した遊技球が入球する。また、振分装置４０は、入球口４１に入球した遊技球を下方に流下させる流下通路４２を有している。入球口４１は、対向する一対の振分片４０ａの先端に形成されている。対向する一対の振分片４０ａの間に位置する空間であって入球口４１よりも下流が流下通路４２である。流下通路４２は、複数（実施形態では、第１通路４２ａ、第２通路４２ｂ、第３通路４２ｃの３つ）の通路に分岐している。
【００４１】
振分装置４０において、振分片４０ａよりも下流であって、流下通路４２の分岐部位には、複数（実施形態では２つ）の振分部材が配置されている。より詳しくは、入球口４１の直下に第１振分部材５０が配設され、その第１振分部材５０よりもやや左下方に第２振分部材６０が配設されている。さらに、流下通路４２の分岐部位であって、振分部材５０，６０よりも下方には、振分片４３，４４が位置している。
【００４２】
振分片４３は、矩形平板状をなしている。振分片４３は、第２振分部材６０の下方に位置しており、その平板面がパチンコ遊技機１０における上下方向と平行となるように配設されている。一方、振分片４４は、平面視逆Ｖ字状をなしており、第１振分部材５０の下方に位置している。
【００４３】
振分部材５０，６０と振分片４３，４４により、流下通路４２は、第１通路４２ａ、第２通路４２ｂ、及び第３通路４２ｃに分岐されている。詳しくは、流下通路４２は、振分片４０ａ、第２振分部材６０、及び振分片４３によって第１通路４２ａに分岐される。また、流下通路４２は、振分片４０ａ、第１振分部材５０、第２振分部材６０、及び振分片４３，４４によって第２通路４２ｂに分岐される。また、流下通路４２は、振分片４０ａ、第１振分部材５０、及び振分片４４によって第３通路４２ｃに分岐される。また、振分装置４０は、入球口４１、振分片４０ａ、振分部材５０，６０、及び振分片４３，４４を遊技盤ＹＢの前面から覆う樹脂製の目隠し板４０ｂを有している。この目隠し板４０ｂによって、遊技者は、振分装置４０に形成された各通路４２ａ〜４２ｃを前面から視認することが不可能となる。
【００４４】
以下、第１振分部材５０と第２振分部材６０の構造について詳しく説明する。
図６に示すように、第１振分部材５０は、振分装置４０の前後方向に延在するように支持された回動軸４５に回動自在に枢支されている。第１振分部材５０は、半円板状の基板４６と、該基板４６の中心から前方へ突出するとともに径方向に延在する３つの球受片４７，４８，４９を有する。そして、第１振分部材５０には、球受片４７，４８によって遊技球を受け止め可能な球受部４６ａが画成されているとともに、基板４６及び球受片４８，４９によって遊技球を受け止め可能な球受部４６ｂが画成されている。また、第１振分部材５０には、基板４６及び球受片４７，４９によって遊技球を受け止め可能な球受部４６ｃが画成されている。
【００４５】
同様に、第２振分部材６０は、振分装置４０の前後方向に延在するように支持された回動軸６５に回動自在に枢支されている。第２振分部材６０は、半円板状の基板６６と、該基板６６の中心から前方へ突出するとともに径方向に延在する３つの球受片６７，６８，６９を有する。そして、第２振分部材６０には、基板６６及び球受片６７，６８によって遊技球を受け止め可能な球受部６６ａが画成されているとともに、球受片６８，６９によって遊技球を受け止め可能な球受部６６ｂが画成されている。また、第２振分部材６０には、基板６６及び球受片６７，６９によって遊技球を受け止め可能な球受部６６ｃが画成されている。
【００４６】
第２振分部材６０の球受片６８は、第１振分部材５０の球受片４７よりも長い。そして第１振分部材５０の球受片４７の回動範囲と、第２振分部材６０の球受片６８の回動範囲は重なっている。
【００４７】
第１振分部材５０は、図４（ａ）に示す第１姿勢のときに入球口４１に入球した遊技球を球受部４６ｂで受け止めるとともに、当該遊技球の自重によって時計回り（図中、符号「Ｚ１」の方向）に回動し、遊技球を下流に誘導する。また、第１振分部材５０は、図４（ａ）に示す第１姿勢から遊技球を下流に誘導した後、図４（ｂ）に示す第２姿勢を取り得るように姿勢が保持される。そして、第１振分部材５０は、図４（ｂ）に示す第２姿勢のときに入球口４１に入球した遊技球を球受部４６ａで受け止めるとともに、当該遊技球の自重によって反時計回り（図中、符号「Ｚ２」の方向）に回動し、遊技球を下流に誘導する。そして、第１振分部材５０は、図４（ｂ）に示す第２姿勢から遊技球を下流に誘導した後、図４（ａ）に示す第１姿勢を取り得るように姿勢が保持される。なお、第１振分部材５０は、回動軸４５を中心に所定角度の範囲で回動するように回動量が規制されている。
【００４８】
同様に、第２振分部材６０は、図４（ｃ）に示す第１姿勢のときに入球口４１に入球した遊技球を球受部６６ｂで受け止めるとともに、当該遊技球の自重によって時計回り（図中、符号「Ｚ１」の方向）に回動し、遊技球を下流に誘導する。また、第２振分部材６０は、図４（ｃ）に示す第１姿勢から遊技球を下流に誘導した後、図４（ｄ）に示す第２姿勢を取り得るように姿勢が保持される。そして、第２振分部材６０は、図４（ｄ）に示す第２姿勢のときに入球口４１に入球した遊技球を球受部６６ａで受け止めるとともに、当該遊技球の自重によって反時計回り（図中、符号「Ｚ２」の方向）に回動し、遊技球を下流に誘導する。そして、第２振分部材６０は、図４（ｄ）に示す第２姿勢から遊技球を下流に誘導した後、図４（ｃ）に示す第１姿勢を取り得るように姿勢が保持される。なお、第２振分部材６０は、回動軸６５を中心に所定角度の範囲で回動するように回動量が規制されている。
【００４９】
そして、遊技球は、振分部材５０，６０により、第１通路４２ａ、第２通路４２ｂ、及び第３通路４２ｃのうちいずれかに振り分けられる。
図２に示すように、第１通路４２ａの下流には、第１大入賞部１８及び第２大入賞部１９が位置しているとともに、遊技釘Ｋを植設してなる通路が、第１大入賞口１８ａ及び第２大入賞口１９ａに向けて画成されている。この通路により、第１大入賞部１８及び第２大入賞部１９は、同一の流下経路上に位置する。以下、この通路を第１流下経路Ｌ１と示す。
【００５０】
また、第２通路４２ｂの下流には、第１大入賞部１８、第２大入賞部１９、及び作動ゲート２５が位置しているとともに、遊技釘Ｋを植設してなる通路が、第１大入賞口１８ａ、第２大入賞口１９ａ、及び作動ゲート２５に向けて画成されている。この通路により、第１大入賞部１８、第２大入賞部１９、及び作動ゲート２５は、同一の流下経路上に位置する。以下、この通路を第２流下経路Ｌ２と示す。
【００５１】
また、第３通路４２ｃの下流には、第２始動入球部１５が位置しているとともに、遊技釘Ｋを植設してなる通路が、第２始動入球口１５ａに向けて画成されている。以下、この通路を第３流下経路Ｌ３と示す。実施形態では、第３流下経路Ｌ３が特定流下経路に相当する。
【００５２】
前述したような配置により、第１流下経路Ｌ１は、大当り遊技中、第１大入賞口１８ａ又は第２大入賞口１９ａに遊技球を導く通路となる。一方、第２流下経路Ｌ２は、大当り遊技中、第１大入賞口１８ａ又は第２大入賞口１９ａに遊技球を導く通路となるとともに、例えば、後述する入球率向上状態中などに遊技領域ＹＢａの右方に遊技球を発射した際（所謂、右打ち）、作動ゲート２５に遊技球を導く通路となる。また、第３流下経路Ｌ３は、右打ちをした際、第２始動入球口１５ａに遊技球を導く通路となる。
【００５３】
ちなみに、第１，第２流下経路Ｌ１，Ｌ２と第３流下経路Ｌ３は、遊技釘Ｋ、第１誘導部材１７ａ、及び規制部材１７ｄによって画成されている。これにより、第１流下経路Ｌ１又は第２流下経路Ｌ２を流下した遊技球が第３流下経路Ｌ３に流れ込むことがなく、同様に、第３流下経路Ｌ３を流下した遊技球が第１流下経路Ｌ１又は第２流下経路Ｌ２に流れ込むことはない。
【００５４】
パチンコ遊技機１０は、入球率向上機能を備えている。入球率向上機能は、特定の入球口（実施形態では第２始動入球口１５ａ）への単位時間あたりの入球率を向上させる入球率向上状態を付与する機能である。特定の入球口への入球率を向上させる方法は、例えば、普通図柄変動ゲームの変動時間を、入球率向上状態が付与されていない状態（非入球率向上状態）よりも短縮する方法であってもよい。また、普通図柄の当り抽選の当選確率を非入球率向上状態よりも高確率とする方法であってもよい。また、普通図柄の当り抽選に当選した場合、１回の普通図柄の当り抽選に当選したことに基づく開閉羽根１５ｂの開放時間を、非入球率向上状態よりも長くする方法であってもよい。また、特別図柄変動ゲームの変動時間、特にはずれ表示結果が確定停止表示される特別図柄変動ゲームの変動時間を非入球率向上状態中に比して短縮させる方法であってもよい。また、これらの方法を任意に組み合わせてもよい。本実施形態において入球率向上状態は、予め定められた終了条件が成立するまで付与される。
【００５５】
また、パチンコ遊技機１０には、遊技用構成部材として図５に示す主基板３０や副基板３１を含む各種基板が搭載されている。
主基板３０は、制御動作を所定の手順で実行することができる主制御用ＣＰＵ３０ａと、主制御用ＣＰＵ３０ａの制御プログラムを格納する主制御用ＲＯＭ３０ｂと、必要なデータの書き込み及び読み出しができる主制御用ＲＡＭ３０ｃを有する。また、主基板３０には、図５に示すように各種センサＳＥ１〜ＳＥ４，ＣＳ１，ＣＳ２、各種表示装置（特別図柄表示装置１１，１２など）及びアクチュエータＡＣ１〜ＡＣ３が接続されている。
【００５６】
主制御用ＣＰＵ３０ａは、各種センサＳＥ１〜ＳＥ４，ＣＳ１，ＣＳ２からの遊技球の検知信号をもとに入力処理を行う。
主制御用ＣＰＵ３０ａは、始動センサＳＥ１，ＳＥ２からの検知信号を入力した場合の入力処理において、各特別図柄変動ゲームの保留を記憶する処理や当り抽選などに用いる各種乱数を取得する処理を行う。そして、主制御用ＣＰＵ３０ａは、入力処理で記憶した保留をもとに第１特別図柄変動ゲーム又は第２特別図柄変動ゲームを開始させる変動開始処理を行う。
【００５７】
また、主制御用ＣＰＵ３０ａは、各種センサＳＥ１〜ＳＥ３，ＣＳ１，ＣＳ２からの検知信号を入力した場合の入力処理において、所定個数の賞球を払出すための処理を行う。
また、主制御用ＣＰＵ３０ａは、ゲートセンサＳＥ４からの検知信号を入力した場合の入力処理において、普通図柄変動ゲームの保留を記憶する処理や普通図柄の当り抽選などに用いる各種乱数を取得する処理を行う。そして、主制御用ＣＰＵ３０ａは、入力処理で記憶した保留をもとに普通図柄変動ゲームを開始させる変動開始処理を行う。
【００５８】
副基板３１は、主基板３０から一方向で情報（制御信号）が送信されるように主基板３０と電気的に接続されている。副基板３１は、制御動作を所定の手順で実行することができる副制御用ＣＰＵ３１ａと、副制御用ＣＰＵ３１ａの制御プログラムを格納する副制御用ＲＯＭ３１ｂと、必要なデータの書き込み及び読み出しができる副制御用ＲＡＭ３１ｃを有する。
【００５９】
副制御用ＣＰＵ３１ａは、主基板３０から送信される情報をもとに当該情報に応じた制御を行う。例えば、主制御用ＣＰＵ３０ａは、特別図柄変動ゲームを開始させる場合、特別図柄表示装置１１，１２の表示内容の制御に加えて、特別図柄変動ゲームの開始を指示する情報を副制御用ＣＰＵ３１ａに送信する。当該情報を受けた副制御用ＣＰＵ３１ａは、演出表示装置１３において飾り図柄変動ゲームを行わせるように演出表示装置１３の表示内容を制御する。
【００６０】
以下、図６に従って、各流下経路Ｌ１〜Ｌ３を遊技球が流下する流れについて説明する。なお、以下の説明では、第１通路４２ａに振り分けられた遊技球を「１球目」とし、次に第２通路４２ｂに振り分けられた遊技球を「２球目」とする。また、第３通路４２ｃに振り分けられた遊技球を「３球目」とする。そして、一度、第１通路４２ａに遊技球が振り分けられてから、再度、第１通路４２ａに遊技球が振り分けられた場合、その遊技球は、「１球目」となる。
【００６１】
まず、第１通路４２ａに遊技球Ｂを振り分ける流れについて説明する。
図６（ａ）に示すように、第１振分部材５０及び第２振分部材６０が第２姿勢（図４（ｂ），（ｄ））であるときに、１球目の遊技球Ｂが入球口４１に入球すると、該遊技球Ｂは、第１振分部材５０の球受部４６ａで受け止められる。なお、第１振分部材５０の球受片４７は第２振分部材６０の球受片６８の下方に重なっている。この重なりにより、第１振分部材５０の時計回りでの回動が規制される。そして、遊技球Ｂが第２振分部材６０の球受片６８を転動し、球受片６７に到達すると、遊技球Ｂの自重によって第２振分部材６０が反時計回りに回動し、第２振分部材６０が第２姿勢から第１姿勢に切り替わる。その後、遊技球Ｂは、第１通路４２ａに振り分けられ、第１流下経路Ｌ１に誘導される。
【００６２】
前述したように、第１流下経路Ｌ１は、大当り遊技中、第１大入賞口１８ａ又は第２大入賞口１９ａに遊技球を導く通路である。このため、大当り遊技中、遊技球が振分装置４０の入球口４１に入球して第１通路４２ａ（第１流下経路Ｌ１）に振り分けられ、該遊技球が第１大入賞口１８ａ又は第２大入賞口１９ａに入球すると、賞球が払い出される。
【００６３】
次に、第２通路４２ｂに遊技球Ｂを振り分ける流れについて説明する。
図６（ｂ）に示すように、遊技球Ｂが第１通路４２ａに振り分けられたことで第１振分部材５０が第２姿勢（図４（ｂ））であって、かつ第２振分部材６０が第１姿勢（図４（ｃ））であるときに、２球目の遊技球Ｂが入球口４１に入球すると、該遊技球Ｂは、第１振分部材５０の球受部４６ａによって受け止められる。遊技球Ｂの自重によって第１振分部材５０が反時計回りに回動するため、第１振分部材５０が第２姿勢から第１姿勢に切り替わる。その後、遊技球Ｂは、第２振分部材６０の球受部６６ｂによって受け止められ、遊技球Ｂの自重によって第２振分部材６０が時計回りに回動し、第２振分部材６０が第１姿勢から第２姿勢に切り替わる。その後、遊技球Ｂは、第２通路４２ｂに振り分けられ、第２流下経路Ｌ２に誘導される。
【００６４】
前述したように、第２流下経路Ｌ２は、大当り遊技中、第１大入賞口１８ａ又は第２大入賞口１９ａに遊技球を導く通路であるとともに、右打ちをした際、作動ゲート２５に遊技球を導く通路である。このため、大当り遊技中、遊技球が振分装置４０の入球口４１に入球して第２通路４２ｂ（第２流下経路Ｌ２）に振り分けられ、該遊技球が第１大入賞口１８ａ又は第２大入賞口１９ａに入球すると、賞球が払い出される。また、遊技球が振分装置４０の入球口４１に入球して第２通路４２ｂ（第２流下経路Ｌ２）に振り分けられると、該遊技球は作動ゲート２５を通過し、普通図柄変動ゲームの始動条件を成立させることができる。
【００６５】
次に、第３通路４２ｃに遊技球Ｂを振り分ける流れについて説明する。
図６（ｃ）に示すように、遊技球Ｂが第２通路４２ｂに振り分けられたことで第１振分部材５０が第１姿勢（図４（ａ））であって、かつ第２振分部材６０が第２姿勢（図４（ｄ））であるときに、３球目の遊技球Ｂが入球口４１に入球すると、該遊技球Ｂは、第１振分部材５０の球受部４６ｂによって受け止められる。遊技球Ｂの自重によって第１振分部材５０が時計回りに回動するため、第１振分部材５０が第１姿勢から第２姿勢に切り替わる。このとき、第２振分部材６０は回動せず、第２姿勢を保持する。そして、第１振分部材５０の回動により、第１振分部材５０の球受片４７が第２振分部材６０の球受片６８の下方に位置することで、第１振分部材５０と第２振分部材６０は、１球目の遊技球Ｂを受け入れたときと同じ姿勢をとる。そして、遊技球Ｂは、第３通路４２ｃに振り分けられ、第３流下経路Ｌ３に誘導される。
【００６６】
前述したように、第３流下経路Ｌ３は、右打ちをした際、第２始動入球口１５ａに遊技球を導く通路である。このため、遊技球が振分装置４０の入球口４１に入球して第３通路４２ｃ（第３流下経路Ｌ３）に振り分けられ、該遊技球が第２始動入球口１５ａに入球すると、賞球が払い出されるとともに、第２特別図柄変動ゲームの始動条件を成立させることができる。
【００６７】
このように、振分装置４０は、入球口４１に入球した遊技球を第１通路４２ａに振り分けた後、次に入球口４１に入球した遊技球を第２通路４２ｂに振り分ける。続けて、振分装置４０は、次に入球口４１に入球した遊技球を第３通路４２ｃに振り分けた後、次に入球口４１に入球した遊技球を第１通路４２ａに振り分ける。以降、振分装置４０はこの振り分け作業を繰り返す。つまり、入球口４１に入球した遊技球は、各流下経路Ｌ１〜Ｌ３に１球ずつ周期的に振り分けられるので、各流下経路Ｌ１〜Ｌ３への遊技球の振り分けについて再現性を有するとともに、各流下経路Ｌ１〜Ｌ３への遊技球の振分率（実施形態では１／３）を安定化させることができる。
【００６８】
次に、第２始動入球口１５ａに入球しなかった遊技球が普通入球口１６ａに入球するまでの流れについて、その作用とともに説明する。
第２始動入球口１５ａに入球しなかった遊技球とは、第３流下経路Ｌ３を流下した遊技球のうち、第２始動入球口１５ａに入球しなかった遊技球を指す。すなわち、第３流下経路Ｌ３に誘導されたことで、第２始動入球口１５ａに入球する可能性があったにもかかわらず、開閉羽根１５ｂの開放タイミングと合わず、第２始動入球部１５の下方に流下してしまい、第２始動入球口１５ａに入球しなかった遊技球である。ただし、該遊技球には、普通入球口１６ａやアウト口２９に入球済みの遊技球は該当せず、普通入球口１６ａに入球する可能性が残された遊技球のみ該当する。
【００６９】
前述したように、第２始動入球口１５ａに向かう第３流下経路Ｌ３が形成されているため、３球に１球の割合で第３流下経路Ｌ３に遊技球を振り分け可能な振分装置４０によれば、第２始動入球口１５ａに遊技球を入球させることができるチャンスが周期的に到来する。ただし、開閉羽根１５ｂの開放タイミングで第２始動入球口１５ａに遊技球を入球させることができない等して、なかなか第２特別図柄変動ゲームの始動条件が成立せず、第２特別図柄変動ゲームが停滞してしまうことがある。
【００７０】
図７（ａ）に示すように、第２始動入球口１５ａに入球せず、第２始動入球口１５ａの左方に流れた遊技球Ｂは、その後、下方に流下する。このとき、閉状態を取る開閉羽根１５ｂの先端から遊技球が通過可能な長さ分、左方に離間した位置には規制部材１７ｄが配設されているため、遊技球Ｂは、規制部材１７ｄに当接し、第２流下経路Ｌ２に流れ込まない。
【００７１】
図７（ｂ）に示すように、規制部材１７ｄと第１誘導部材１７ａの間には、遊技球Ｂの直径よりも短い間隔で遊技釘Ｋが植設されている。よって、遊技球Ｂは、遊技釘Ｋに当接し、第２流下経路Ｌ２に流れ込むことなく誘導部材１７ａ，１７ｂの第４側面Ｓ４に誘導される。
【００７２】
また、第２始動入球口１５ａに入球せず、第２始動入球口１５ａの右方に流れた遊技球Ｂは、その後、下方に流下する。このとき、第２誘導部材１７ｂの第３側面Ｓ３は、コーナー飾り部材Ｒ５の側面Ｒ５ａ近傍に位置しており、第３側面Ｓ３と側面Ｒ５ａの間は、遊技球の直径よりも短くなっている。これにより、遊技球Ｂは、コーナー飾り部材Ｒ５に当接し、コーナー飾り部材Ｒ５と第２誘導部材１７ｂの間を流下することがない。
【００７３】
図７（ｃ）に示すように、誘導部材１７ａ，１７ｂの第４側面Ｓ４を転動した遊技球Ｂは、その後、誘導部１７ｃに案内される。誘導部材１７ａ，１７ｂでは、第４側面Ｓ４が互いに内側を向き、かつ下り勾配をなして対向するように配設されている。このような構造により、第３流下経路Ｌ３に誘導されたが、開閉羽根１５ｂの開放タイミングで第２始動入球口１５ａに入球しなかったことにより、第２始動入球部１５よりも下方に流下した遊技球は、全て、誘導部材１７ａ，１７ｂの第４側面Ｓ４を転動する。
【００７４】
また、誘導部１７ｃは普通入球口１６ａの直上に位置している。さらに、誘導部１７ｃと普通入球口１６ａの間には遊技釘Ｋが植設されていないため、第４側面Ｓ４を転動した遊技球Ｂは、高確率で普通入球口１６ａに入球する。つまり、一度、第３流下経路Ｌ３に遊技球が誘導されたのであれば、該遊技球がその他の流下経路に流れ込むことがなく、第２始動入球口１５ａ又は普通入球口１６ａに入球する可能性が高い。
【００７５】
ちなみに、第２始動入球口１５ａ及び普通入球口１６ａに入球しなかった遊技球や、大入賞口１８ａ，１９ａに入球しなかった遊技球は、誘導部材Ａの第３側面Ａ３を転動してアウト口２９に誘導される。
【００７６】
本実施形態では、閉状態を取る開閉羽根１５ｂの先端から普通入球口１６ａまでの流下経路に配置されている各部材（規制部材１７ｄ、遊技釘Ｋ、誘導部材１７ａ，１７ｂ、及びコーナー飾り部材Ｒ５）によって、第２始動入球口１５ａに入球しなかった遊技球を普通入球口１６ａに誘導する誘導通路ＹＴが構成される。なお、誘導通路ＹＴのうち、遊技球を、直接、普通入球口１６ａに誘導するのは、誘導部材１７ａ，１７ｂの第４側面Ｓ４である。このため、誘導部材１７ａ，１７ｂの第４側面Ｓ４が、誘導面に相当する。
【００７７】
また、本実施形態では、規制部材１７ｄは、誘導通路ＹＴを構成する部材であるとともに、第２始動入球口１５ａに入球しなかった遊技球が第３流下経路Ｌ３以外の流下経路に流れ込むことを規制する規制部材としても機能する。同様に、第２誘導部材１７ｂの第３側面Ｓ３とコーナー飾り部材Ｒ５の側面Ｒ５ａの間は、遊技球の直径よりも短く、遊技球が通過不可能である。これにより、コーナー飾り部材Ｒ５は、誘導通路ＹＴを構成する部材であるとともに、第２始動入球口１５ａに入球しなかった遊技球が第３流下経路Ｌ３以外の流下経路に流れ込むことを規制する規制部材としても機能する。
【００７８】
また、本実施形態では、誘導部材Ａを有する、普通入球口１６ａの下流からアウト口２９までの流下経路が、普通入球口１６ａに入球しなかった遊技球をアウト口２９に誘導する第２誘導通路に相当する。
【００７９】
このように、パチンコ遊技機１０では、第２始動入球口１５ａに入球しなかった遊技球を、誘導通路ＹＴに誘導し、積極的に普通入球口１６ａに入球させる構成を採用している。誘導通路ＹＴは、閉状態を取る開閉羽根１５ｂの先端から普通入球口１６ａまでの流下経路に配置されている各部材（規制部材１７ｄ、遊技釘Ｋ、誘導部材１７ａ，１７ｂ、及びコーナー飾り部材Ｒ５）によって形成される。また、誘導部材１７ａ，１７ｂは、樹脂製であって、かつ誘導面としての第４側面Ｓ４を有する。誘導部材１７ａ，１７ｂが、樹脂製かつ誘導面を有することで、遊技釘Ｋのように、曲げ具合や曲げ方向等の調整が困難となっている。誘導部材１７ａ，１７ｂが変形し難いことに伴い、誘導部材１７ａ，１７ｂの下方に位置する普通入球口１６ａへの入球率も変化し難くなるため、普通入球口１６ａへの入球率が安定する。本実施形態では、誘導部材１７ａ，１７ｂを樹脂製、かつ誘導面を有する部材とすることで、誘導部材１７ａ，１７ｂを変形させるという調整の困難性を作り出している。
【００８０】
ちなみに、普通入球口１６ａや誘導部材１７ａ，１７ｂの周りに遊技釘Ｋを植設したり、遊技釘Ｋの植設幅を遊技球の直径よりも長くしたりする場合、遊技球が遊技釘Ｋに当接し、遊技球の流下方向が変化し得るため、所望の入球口への入球率が安定しない。このようなパチンコ遊技機において遊技球が所望の入球口に入球したとしても、その入球は偶発的な入球であって、パチンコ遊技機１０が採用する誘導態様とは異なる。
【００８１】
また、第２始動入球口１５ａへの入球に基づく賞球数と、普通入球口１６ａへの入球に基づく賞球数は同一である。さらに、前記賞球数は、振分装置４０が振分対象とする全流下経路数（実施形態では３つ）と同一である。これにより、普通入球口１６ａに遊技球が入球したのであれば、第２始動入球口１５ａに入球していれば得られるはずであった賞球と同数の賞球を得ることができる。また、普通入球口１６ａに遊技球が入球したのであれば、普通入球口１６ａに入球させるまでに振分装置４０に入球させた３球の遊技球を回収することができるため、実質的な持ち球が減らない。すなわち、普通入球口１６ａへの入球率が安定することで、ベース値を算出するにあたり、第２始動入球口１５ａの開放タイミングに依存する第２始動入球口１５ａへの入球率を考慮しなくてもよく、また、第３流下経路Ｌ３への振分率も一定であるため、ベース値が安定する。ベース値とは、大当り遊技中を除く遊技状態における出球率である。例えば、１００球の遊技球が発射され、２０球の賞球払出しが行われた場合、ベース値は２０％となる。
【００８２】
したがって、本実施形態によれば、以下に示す効果を得ることができる。
（１）第２始動入球口１５ａに入球しなかった遊技球は、誘導通路ＹＴによって普通入球口１６ａに誘導され、普通入球口１６ａに入球し得る。また、誘導通路ＹＴの構成要素である誘導部材１７ａ，１７ｂを樹脂製かつ誘導面（第４側面Ｓ４）を有する調整困難な部材とすることで、誘導部材１７ａ，１７ｂの曲げ具合や曲げ方向等の調整が困難となる。つまり、誘導部材１７ａ，１７ｂが変形し難いことに伴い、誘導部材１７ａ，１７ｂの下方に位置する普通入球口１６ａへの入球率も変化し難くなるため、普通入球口１６ａへの入球率が安定する。このことから、ベース値を算出するにあたり、第２始動入球口１５ａに遊技球が入球しなかった場合でも、普通入球口１６ａへの入球によって安定したベース値を確保することができる。
【００８３】
（２）第２始動入球口１５ａへ向かう第３流下経路Ｌ３を流下した遊技球のうち、第２始動入球口１５ａに入球しなかった遊技球は、誘導通路ＹＴによって全て普通入球口１６ａへ誘導されるため、該遊技球は高確率で普通入球口１６ａに入球し得る。このことから、ベース値を算出するにあたり、第２始動入球口１５ａに遊技球が入球しなかった場合でも、普通入球口１６ａへの入球によって安定したベース値を確保することができる。
【００８４】
（３）安定したベース値を確保することで、設計段階における遊技釘Ｋの配置などの算出も容易に行うことができ、メーカ側にとってもメリットがある。また、安定したベース値の確保により、遊技者に対しても一定の賞球を確保させることができる。つまり、入球口へ遊技球が入球し難いために持ち球が減少し、遊技球を頻繁に借りなければならないという現象も生じにくいため、遊技者に対して安心して遊技に興じさせることができる。
【００８５】
（４）開閉羽根１５ｂの開放タイミングと一致しないと第２始動入球口１５ａに遊技球が入球し難いが、第２始動入球口１５ａに遊技球が入球しなくても、この遊技球が誘導通路ＹＴを介して普通入球口１６ａに誘導される。このため、ベース値を算出するにあたり、開閉羽根１５ｂの開放タイミングや普通入球口１６ａへの入球率のばらつきをあまり考慮しなくても済むため、第２始動入球口１５ａに遊技球が入球しなかった場合でも、普通入球口１６ａへの入球によって安定したベース値を確保することができる。
【００８６】
（５）第２始動入球口１５ａの上流に配設された振分装置４０によれば、第３流下経路Ｌ３に対して遊技球を周期的に振り分けることができ、第３流下経路Ｌ３の下流に位置する入球部（第２始動入球部１５又は普通入球部１６）への入球率が安定する。よって、第３流下経路Ｌ３への振分率と普通入球口１６ａへの入球率の両方が安定することになり、より一層、安定したベース値を確保することができる。
【００８７】
（６）普通入球口１６ａへ入球した遊技球が検知された場合、第２始動入球口１５ａへ入球した遊技球が検知されたことを契機に払い出される遊技球と同数の遊技球が払い出されるため、遊技者に不利な印象を与えずに済む。
【００８８】
（７）普通入球口１６ａへ入球した遊技球が検知されたことを契機に払い出される遊技球数を、振分装置４０が振分対象とする全流下経路数と同一とした。この構成によれば、遊技球が第２始動入球口１５ａに入球しなくても普通入球口１６ａに入球する可能性が高く、かつ普通入球口１６ａに入球した場合には、振分装置４０による１周期分の振分動作で消費した個数の遊技球を回収することができるため、遊技者の持ち球をあまり減らさずに済む。
【００８９】
（８）誘導部材１７ａ，１７ｂにおける下り勾配の最下流端と連なる誘導部１７ｃが普通入球口１６ａの直上に位置することで、誘導部１７ｃから落下した遊技球は、遊技釘Ｋなどの障害部材に当接することなく普通入球口１６ａに入球し易くなる。
【００９０】
（９）誘導部１７ｃの下端Ｐ２から普通入球口１６ａの上端１６ｂまでの上下方向における距離Ｘは、遊技球が通過可能な長さである。この構成によれば、普通入球口１６ａと誘導部１７ｃが極端に離間している場合に比して、第２始動入球口１５ａに入球しなかった遊技球が普通入球口１６ａに入球する確率が高められる。また、遊技球が通過可能な距離だけ離間していることで、球づまりを起こし難い。
【００９１】
（１０）閉状態を取る開閉羽根１５ｂの先端から遊技球が通過可能な長さ分、左方に離間した位置に規制部材１７ｄが位置するとともに、第２誘導部材１７ｂの第３側面Ｓ３が、コーナー飾り部材Ｒ５の側面Ｒ５ａ近傍に位置しており、第３側面Ｓ３と側面Ｒ５ａの間は、遊技球の直径よりも短い。これによれば、第３流下経路Ｌ３以外の流下経路に遊技球が流れ込まないので、第２始動入球口１５ａに入球しなかった遊技球を普通入球口１６ａに誘導することができる。
【００９２】
（１１）開閉羽根１５ｂを有する第２始動入球口１５ａへの遊技球の入球率を考慮する煩わしさを省きつつ、安定したベース値を獲得させるために、普通入球口１６ａに向かう誘導通路ＹＴを設けている。一方、普通入球部２６〜２８の上方には、開閉部材を有する始動入球口が配設されていないため、始動入球口への遊技球の入球率のばらつきを考慮する必要はない。つまり、普通入球部２６〜２８に遊技球が入球しなくてもベース値には影響しないため、普通入球部２６〜２８に遊技球を誘導する誘導部材を設ける必要はない。よって、同じ普通入球部（普通入球部１６と普通入球部２６〜２８）であっても、誘導部材の有無によって異なる遊技性が生起され得る。
【００９３】
（１２）普通入球口１６ａに入球しなかった遊技球をアウト口２９に誘導する誘導部材Ａを設けたことで、普通入球口１６ａに入球しなかった遊技球は、その他の入球口に入球することなくアウト口２９に誘導されるため、遊技球の過払出しがなく、遊技店側が損をしない。
【００９４】
なお、上記実施形態は以下のように変更しても良い。
・実施形態において、第１通路４２ａ〜第３通路４２ｃの下流に配設する各種入球口を異ならせても良い。例えば、第１通路４２ａの下流に第２始動入球口１５ａを、第２通路４２ｂの下流に第１大入賞部１８を、第３通路４２ｃの下流に第２大入賞部１９をそれぞれ配設してもよい。つまり、第２始動入球口１５ａに遊技球を向かわせる流下経路に対して、遊技球を一定確率で振り分けられることができるのであれば、各種通路と各種入球口の組み合わせは問わない。
【００９５】
・実施形態では、振分装置４０を設けなくてもよい。このような場合、第３流下経路Ｌ３への到達率が安定しない。ただし、第３流下経路Ｌ３に遊技球が誘導されたのであれば、第２始動入球口１５ａに遊技球が入球しなくても、誘導通路ＹＴを介して普通入球口１６ａに入球する確率が高いので、依然として、第２始動入球口１５ａへの入球率を考慮する必要はない。つまり、変動し得る２個の値（第３流下経路Ｌ３への到達率及び第２始動入球口１５ａへの入球率）を掛け合わせてベース値を算出する場合、ベース値は適宜変化する虞があるが、１個でも値が安定しているのであれば（この例では普通入球口１６ａへの入球率）、変動し得る２個の値を掛け合わせてベース値を算出する場合よりもベース値が安定する。
【００９６】
・振分装置４０の配設箇所はセンター役物Ｙ５の右方に限られない。ただし、入球口４１の上方に遊技釘Ｋが植設されている場合、遊技釘Ｋに当接することで遊技球の流下経路が変化してしまう可能性がある。このような場合、発射された遊技球が入球口４１に必ず入球するとは限らず、第３流下経路Ｌ３への到達率が安定しない。ただし、普通入球口１６ａへの入球率は、誘導部材１７ａ，１７ｂによって安定化されているため、変動し得る２個の値を掛け合わせてベース値を算出する場合よりもベース値が安定する。
【００９７】
・実施形態において、振分装置４０を構成する振分部材の個数を変更しても良い。なお、振分部材の個数を１個としても良いが、複数個とした方が流下経路の分岐バリエーションが増加するため、複数個とすることが好ましい。
【００９８】
・各流下経路Ｌ１〜Ｌ３に振り分けられる遊技球の個数が流下経路Ｌ１〜Ｌ３毎に変わらず一定数であるならば、一定数を２球以上としてもよい。
・実施形態では、誘導部材Ａを省略してもよい。
【００９９】
・実施形態では、規制部材１７ｄを省略してもよい。
・第３流下経路Ｌ３以外の流下経路に遊技球を流下し難くするための構成は、実施形態の構成に限られない。例えば、規制部材１７ｄの代わりに、遊技釘Ｋを遊技球の直径よりも短い間隔で植設してもよいし、第２誘導部材１７ｂの最上流端とコーナー飾り部材Ｒ５との隙間を別の樹脂部材で覆うなどしてもよい。また、第２誘導部材１７ｂの第３側面Ｓ３がコーナー飾り部材Ｒ５に接触するように、第２誘導部材１７ｂを配置してもよい。
【０１００】
・実施形態では、第２始動入球口１５ａへの入球を契機に払い出される遊技球数と、普通入球口１６ａへの入球を契機に払い出される遊技球数を異ならせてもよい。例えば、普通入球口１６ａへ入球した遊技球の検知を契機に払い出される遊技球数が第２始動入球口１５ａへ入球した遊技球の検知を契機に払い出される遊技球数よりも多い場合、普通入球口１６ａへ入球した遊技球の検知を契機に払い出される遊技球を基準としなければならないので、ベース値を再算出しなければならない。ただし、第２始動入球口１５ａに入球する場合よりも多くの賞球が得られるため、遊技者に不利な印象を与えずに済む。
【０１０１】
・実施形態では、第２始動入球口１５ａへの入球を契機に払い出される遊技球数及び普通入球口１６ａへの入球を契機に払い出される遊技球数と、振分装置４０が振分対象とする全流下経路数を異ならせてもよい。また、第２始動入球口１５ａへの入球を契機に払い出される遊技球数と振分装置４０が振分対象とする全流下経路数を同一とするが、普通入球口１６ａへの入球を契機に払い出される遊技球数と振分装置４０が振分対象とする全流下経路数を異ならせてもよい。
【０１０２】
・第２始動入球口１５ａに入球しなかった遊技球を普通入球口１６ａに誘導させることができるのであれば、第２始動入球部１５、普通入球部１６、及び誘導部材１７ａ，１７ｂの位置関係は、実施形態の配置に限られない。すなわち、第２始動入球部１５全体よりも普通入球部１６全体が下方に位置していなくても、第２始動入球部１５の第２始動入球口１５ａよりも普通入球部１６の普通入球口１６ａが下方に位置していれば、第２始動入球口１５ａに入球しなかった遊技球が普通入球口１６ａに入球し得るからである。よって、例えば、第２始動入球部１５において、第２始動入球部１５の上下方向における略真ん中と同じ高さに、誘導部材１７ａ，１７ｂにおける第４側面Ｓ４の最上流端が位置していてもよい。
【０１０３】
・実施形態において、流下経路Ｌ１〜Ｌ３を画成できるのであれば、該流下経路を構成する部材は、遊技釘Ｋでも樹脂部材でも構わない。
・実施形態において、第２始動入球口１５ａを開閉することができるのであれば、開閉部材はどのような形状であっても構わない。例えば、開閉部材を遊技盤ＹＢの前後方向に延びる１枚のシャッターとし、該シャッターが遊技盤ＹＢの奥方に収容されている場合には、第２始動入球口１５ａが開状態となる一方、シャッターが遊技盤ＹＢの前後方向に突出している場合には、第２始動入球口１５ａが閉状態となるようにしてもよい。
【０１０４】
・第２始動入球口１５ａは、開閉羽根１５ｂが閉状態であるときに遊技球が入球し得るようになっていても構わない。ただし、開閉羽根１５ｂが開状態である時に比して入球し難いことが前提である。
【０１０５】
・普通入球部１６の上流に位置する入球口は、常時開口している入球口であってもよい。
・普通入球部１６は、開閉部材によって入球口が開閉されるものであってもよい。ただし、第２始動入球口１５ａに入球しなかった遊技球が普通入球口１６ａに高確率で入球しないと意味がないため、普通入球口１６ａに遊技球を積極的に入球させる構成を備えることが好ましい。例えば、誘導部材１７ａ，１７ｂの第４側面Ｓ４に停留部材を設け、開閉部材の閉鎖中は停留部材によって遊技球を停留させる一方、開閉部材の開放タイミングで停留部材を原位置に収容し、遊技球を普通入球口１６ａに誘導する構成などが考えられる。
【０１０６】
・所望の入球口に入球しなかった遊技球を高確率で入球させるための入球口は、第２始動入球口１５ａと普通入球口１６ａの組み合わせに限られない。その組み合わせとしては、例えば、大入賞口と普通入球口１６ａが考えられる。このような構成とすることで、上方に位置する入球口に遊技球が入球せず、特典を得られなかったとしても、入球しなかった遊技球が下方に位置する入球口に入球する可能性が高ければ、下方に位置する入球口に基づく特典が付与される可能性が高いため、遊技者に不利な印象を与えない。このような効果を得るためには、下流に位置する入球口は、常時開口していることが望ましい。また、上方に位置する入球口に入球した遊技球は、図示しない排出路によって機裏側に排出されることが望ましい。また、上方に位置する入球口に入球しなかった遊技球を下方に位置する入球口に入球させるために、実施形態の構成（下流に位置する入球口の直上に誘導部１７ｃが位置するように誘導部材を配設する、又は規制部材１７ｄを設ける等）を採用してもよい。
【０１０７】
・誘導部材の形状は、例えば、漏斗状や樋状、板状であってもよい。すなわち、遊技釘Ｋのように曲げ方向や曲げ具合を簡単に調整し難く、かつ誘導部材への当接によって遊技球の流下方向が変化し難ければ、どのような形状で形成されていてもよい。誘導部材への当接によって遊技球の流下方向が変化すると、入球口への入球率が変化してしまうからである。また、遊技釘Ｋを遊技球の直径よりも短い間隔で植設し、曲げ具合や曲げ方向が調整困難となるよう、遊技釘Ｋを遊技盤ＹＢに対して深く植設したものを誘導部材としてもよい。
【０１０８】
・実施形態は、１個の大入賞口を備えたパチンコ遊技機に具体化してもよい。
・実施形態において、副基板３１の他に、統括制御基板や中継基板を設けても良い。
・実施形態において、主基板３０と副基板３１を１つの基板としてもよい。
【０１０９】
次に、実施形態及び別例から把握できる技術的思想を以下に追記する。
（イ）前記普通入球口への遊技球の入球を契機に払い出される遊技球数は、前記始動入球口への遊技球の入球を契機に払い出される遊技球数と同数である。
【０１１０】
（ロ）前記普通入球口への遊技球の入球を契機に払い出される遊技球数は、前記振分装置が振分対象とする全流下経路の数と同数である。
（ハ）前記樹脂製の誘導部材は、遊技球を流下させて誘導する下り勾配の誘導面を有する第１誘導部材と、遊技球を流下させて誘導する下り勾配の誘導面を有する第２誘導部材であって、前記第１誘導部材と前記第２誘導部材は、互いの誘導面が対向するように配設され、対向する誘導面における下り勾配の最下流端には、前記普通入球口へ遊技球を誘導する誘導部が連なっており、前記誘導部は前記普通入球口の直上に位置する。
【０１１１】
（ニ）前記誘導部の下端と前記普通入球口の上端は、遊技球が通過可能な距離だけ離間されている。
（ホ）前記第１誘導部材と前記第２誘導部材の誘導面における下り勾配の最上流端よりも上流には、前記始動入球口に入球しなかった遊技球が、前記特定流下経路以外の流下経路に流れ込むことを規制する規制部材が配設されている。
【０１１２】
（へ）前記始動入球口は、開閉動作可能な開閉部材が開動作することで前記第１状態を取る一方、前記開閉部材が閉動作することで前記第２状態を取るようになっており、前記規制部材は、閉状態の開閉部材から遊技球が通過可能な長さ分左右方向に離間した位置に配設されている。
【０１１３】
（ト）複数の普通入球口を有し、前記始動入球口の下方に位置する普通入球口の上方には、前記誘導通路が形成されている一方で、他の普通入球口の上方には、遊技球が通過可能な距離を空けて複数の遊技釘が植設されている。
【０１１４】
（チ）前記普通入球口の下方には、遊技球を外部に排出するアウト口が位置しており、前記普通入球口に入球しなかった遊技球を前記アウト口に誘導する第２誘導通路を有する。
【０１１５】
（リ）入球口への遊技球の入球を契機に遊技者にとって有利な特典が付与される遊技機において、遊技球の入球を契機に第１特典の付与条件が成立可能な第１入球口と、遊技球の入球を契機に第２特典の付与条件が成立可能な第２入球口と、を備え、前記第２入球口は常時開口しており、前記第１入球口に入球しなかった遊技球を前記第２入球口へ誘導する誘導通路を有する遊技機。従来から、遊技盤に向かって発射された遊技球が入球口に入球すると、遊技者にとって有利な特典が付与される。例えば、入球口が大入賞口であるとすると、大入賞口で遊技球が入球検知されたのであれば、多数の賞球が払い出される。このように、遊技者は、特典を得ることを目的として遊技を実行していた。ところが、入球口を狙って遊技球を発射させたとしても、遊技球の遊技釘への当接によって流下経路が安定しないので、遊技球が入球口に入球するとは限らず、入球口に入球しなかった遊技球はアウト口から遊技機外に排出されてしまっていた。これにより、発射した遊技球数に対し入球口に入らなかった遊技球数が多くなると、手持ちの遊技球が不足してしまい、遊技者は新たに遊技球を購入しなければならず、安心して遊技を行うことができないことがあった（例えば、特開２００１−０６２０７１号公報）。そこで、第１入球口に入球しなかった遊技球が第２入球口に入球し得るように誘導部材を配設した。これによれば、第１入球口に遊技球が入球しなかった場合でも、その遊技球が第２入口に入球する可能性があるため、第２入球口に入球した遊技球の検知によって特典を獲得することができ、遊技者に安心して遊技を行わせることができる。
【０１１６】
（ヌ）前記誘導部材は、樹脂製である。
【符号の説明】
【０１１７】
Ｂ…遊技球、Ｌ１〜Ｌ３…流下経路、ＳＥ１，ＳＥ２…始動センサ、ＳＥ３…普通センサ、ＹＢ…遊技盤、ＹＢａ…遊技領域、ＹＴ…誘導通路、１０…パチンコ遊技機、１５…第２始動入球部、１５ａ…第２始動入球口、１６…普通入球部、１６ａ…普通入球口、１７ａ，１７ｂ…誘導部材、１７ｃ…誘導部、４０…振分装置。
【図１】
0006422724.tif 000002
【図２】
0006422724.tif 000003
【図３】
0006422724.tif 000004
【図４】
0006422724.tif 000005
【図５】
0006422724.tif 000006
【図６】
0006422724.tif 000007
【図７】
0006422724.tif 000008